(57)【要約】【課題】建築物の凹状湾曲部に適用することが可能な湾曲部用水切りを提供する。【解決手段】建築物の凹状湾曲部に設置される湾曲部用水切り１であって、後面が凹状湾曲部に沿って配置される平板状の上側板状部１１と、上側板状部１１の下端から前面下方向へ傾斜するように折曲された平板状の中側板状部１２と、中側板状部１２の下端から下方向へ折曲された平板状の下側板状部１３と、下側板状部１３の下端から中側板状部１２の上端にかけて形成された１以上の切込み部１４ａ・１４ｂ・１４ｃ・１４ｄとを有する。【選択図】図２
2013227848.tif 000002
【特許請求の範囲】
【請求項１】
建築物の湾曲部に設置される湾曲部用水切りであって、
後面が前記湾曲部に沿って配置される平板状の第１板状部と、
前記第１板状部の一端から前面へ傾斜するように折曲された平板状の中側板状部と、
前記中側板状部の一端から折曲された平板状の第２板状部と、
前記第１板状部の一端から前記中側板状部の一端にかけて形成された１以上の切込み部とを有することを特徴とする湾曲部用水切り。
【請求項２】
建築物の凹状湾曲部に設置される湾曲部用水切りであって、
後面が前記凹状湾曲部に沿って配置される平板状の上側板状部と、
前記上側板状部の下端から前面下方向へ傾斜するように折曲された平板状の中側板状部と、
前記中側板状部の下端から下方向へ折曲された平板状の下側板状部と、
前記下側板状部の下端から前記中側板状部の上端にかけて形成された１以上の切込み部とを有することを特徴とする湾曲部用水切り。
【請求項３】
前記下側板状部は、その下端から後面側へ折り返された折り返し片を有し、前記折り返し片の前記切込み部によって分割された隣り合う一方の切込み縁部に切欠部を設けていることを特徴とする請求項２に記載の湾曲部用水切り。
【請求項４】
前記上側板状部の下端には、前記切込み部と連続する補助切込み部が形成されていることを特徴とする請求項２又は３に記載の湾曲部用水切り。
【請求項５】
建築物の凸状湾曲部に設置される湾曲部用水切りであって、
後面が前記凸状湾曲部に沿って配置される平板状の下側板状部と、
前記下側板状部の上端から後面上方向へ傾斜するように折曲された平板状の中側板状部と、
前記中側板状部の上端から上方向へ折曲された平板状の上側板状部と、
前記上側板状部の上端から前記中側板状部の下端にかけて形成された１以上の上側切込み部とを有することを特徴とする湾曲部用水切り。
【請求項６】
前記上側板状部は、その上端から前面側へ折り返された上側折り返し片を有し、前記上側折り返し片の前記上側切込み部によって分割された隣り合う一方の切込み縁部に上側切欠部を設けていることを特徴とする請求項５に記載の湾曲部用水切り。
【請求項７】
前記下側板状部の上端には、前記上側切込み部と連続する補助切込み部が形成されていることを特徴とする請求項５又は６に記載の湾曲部用水切り。
【請求項８】
前記下側板状部は、その下端から後面側へ折り返された下側折り返し片を有し、前記下側折り返し片は、前記切込み部の切り込み方向の線分上に下側切欠部を設けていることを特徴とする請求項５乃至７の何れか1項に記載の湾曲部用水切り。
【発明の詳細な説明】
【技術分野】
【０００１】
本発明は、湾曲部用水切りに関する。
【背景技術】
【０００２】
従来、建築物の外装板を伝って流下してきた雨水等を外方に導いて滴下させるために、種々の形態の水切りが提案されている。例えば、建築物の凹状部においては、引用文献１及び２のようなものが開示されている。
【０００３】
具体的に、特許文献１には、入隅部を形成する２壁面に個々に固定される２本の水切り間に介在され、該入隅部に設けられる入隅部用水切りが開示されている。また、引用文献２には、バルコニー床または屋上床の周縁から立ち上げられて入隅を形成する２面の防水腰壁と、各防水腰壁のそれぞれ上方に設けられ各防水腰壁の表面よりも前方に張り出して入隅を形成する２面の外装材との、境界部分の防水構造が開示されている。
【先行技術文献】
【特許文献】
【０００４】
【特許文献１】特開平１１−２１０１７９号公報
【特許文献２】特開平１１−３５０７０１号公報
【発明の概要】
【発明が解決しようとする課題】
【０００５】
しかしながら、引用文献１及び２等の従来のものは、特に壁面同士が出会う直角の入隅のみに用いられるものであって、曲面で形成されるような凹状や凸状の湾曲部に適合するものではなかった。また、平面部に用いる水切りを湾曲部に用いる場合は、適用する曲面に合わせて手作業で板金加工する必要があり時間やコストが掛かってしまっていた。さらに、手作業で板金加工を行った場合、見た目が悪くなると共に、他の箇所と不揃いとなってしまう虞がある。
【０００６】
そこで、本発明は、建築物の凹状や凸状の湾曲部に適用することが可能な湾曲部用水切りを提供することを目的とする。
【課題を解決するための手段】
【０００７】
以上のような目的を達成するために、本発明は、建築物の湾曲部に設置される湾曲部用水切りであって、後面が前記湾曲部に沿って配置される平板状の第１板状部と、前記板状部の一端から前面へ傾斜するように折曲された平板状の中側板状部と、前記中側板状部の一端から折曲された平板状の第２板状部と、前記第１板状部の一端から前記中側板状部の一端にかけて形成された１以上の切込み部とを有する。
【０００８】
上記構成によれば、第２板状部に、切込み部によって２以上に分割された中側板状部がそれぞれ連続し、さらにそれぞれの中側板状部から第１板状部が連続している。第２板状部の後面を取付対象の凹状や凸状の湾曲部の形状に従って湾曲させると、切込み部によって分割された中側板状部の切込み縁同士、第１板状部の切込み縁同士が重ね合わされて全体が湾曲状に組み上げられることになる。これにより、水切りは湾曲部に沿って好適に取付設置することができる。また、切込み部によって分割された中側板状部及び第１板状部の切込み縁同士の重ね合わせる幅を調整することで、多様な湾曲形状に対して取付設置することができる。
【０００９】
また、本発明は、建築物の凹状湾曲部に設置される湾曲部用水切りであって、後面が前記凹状湾曲部に沿って配置される平板状の上側板状部と、前記上側板状部の下端から前面下方向へ傾斜するように折曲された平板状の中側板状部と、前記中側板状部の下端から下方向へ折曲された平板状の下側板状部と、前記下側板状部の下端から前記中側板状部の上端にかけて形成された１以上の切込み部とを有する。
【００１０】
上記構成によれば、上側板状部に、切込み部によって２以上に分割された中側板状部がそれぞれ連続し、さらにそれぞれの中側板状部から下側板状部が連続している。上側板状部の後面を取付対象の凹状湾曲部の形状に従って湾曲させると、切込み部によって分割された中側板状部の切込み縁同士、下側板状部の切込み縁同士が重ね合わされて全体が湾曲状に組み上げられることになる。これにより、上側板状部は凹状湾曲部に沿って好適に取付設置することができる。また、切込み部によって分割された中側板状部及び下側板状部の切込み縁同士の重ね合わせる幅を調整することで、多様な凹形状に対して取付設置することができる。さらに、１枚の鋼板を折曲して組み上げることができる構成であるため、コストの軽減を図ることができる。
なお、本発明において、「湾曲」とは、弓状、凹状及び凹凸状をも含む概念を意味するものとする。また、「切込み部」とは、スリット状に切り抜いたことをも含む概念を意味する。
【００１１】
また、本発明において、前記下側板状部が、その下端から後面側へ折り返えされた折り返し片を有し、前記折り返し片の前記切込み部によって分割された隣り合う一方の切込み縁部に切欠部を設けるようにしてもよい。
【００１２】
上記構成によれば、下側板状部の下端を折り返した構成とした水切りであっても、上側板状部を凹状湾曲部に従って湾曲させて、中側板状部及び下側板状部が一部重ねられて組み上げられた際に、下側板状部の折り返し片の対向する切込み縁の一方を他方の切欠部に円滑に入り込ませることができて好ましく湾曲状に組み上げることができる。また、切込み部によって分割された下側板状部の対向する一方側に折り返し片により形成された溝部に、他方側の下側板状部の折り返し片の切欠部の下端縁を差し込むことができる。これにより、差し込んだ下側板状部の下端縁は、溝部によって下方向及び前後方向への移動が規制される。また、差し込んだ下側板状部は、差し込まれた側の下側板状部に連続する中側板状部によって上方向への移動が規制される。さらに、下側板状部は、上側板状部が凹状湾曲部に従って湾曲されることにより、左右方向への移動が規制される。この結果、切込み部において中側板状部及び下側板状部が重ねられた部分に隙間が生じることを軽減でき、切込み部で分割された状態の下側板状部、及び、下側板状部に連続する中側板状部を容易に固設することができる。
【００１３】
また、本発明において、前記上側板状部の下端に、前記切込み部と連続する補助切込み部を形成するようにしてもよい。
【００１４】
上記構成によれば、下側板状部から上側板状部の下端部にまでわたる切込みが形成されることになり、水切りをより容易に所望の形状に湾曲させることができる。
【００１５】
また、本発明は、建築物の凸状湾曲部に設置される湾曲部用水切りであって、後面が前記凸状湾曲部に沿って配置される平板状の下側板状部と、前記下側板状部の上端から後面上方向へ傾斜するように折曲された平板状の中側板状部と、前記中側板状部の上端から上方向へ折曲された平板状の上側板状部と、前記上側板状部の上端から前記中側板状部の下端にかけて形成された１以上の上側切込み部とを有する。
【００１６】
上記構成によれば、下側板状部に、上側切込み部によって２以上に分割された中側板状部がそれぞれ連続し、さらにそれぞれの中側板状部から上側板状部が連続している。下側板状部の前面を取付対象の凸状湾曲部の形状に従って湾曲させると、上側切込み部によって分割された中側板状部の切込み縁同士、上側板状部の切込み縁同士が重ね合わされて全体が湾曲状に組み上げられることになる。これにより、上側板状部は凸状湾曲部に沿って好適に取付設置することができる。また、上側切込み部によって分割された上側板状部及び中側板状部の切込み縁同士の重ね合わせる幅を調整することで、多様な凸形状に対して取付設置することができる。さらに、１枚の鋼板を折曲して組み上げることができる構成であるため、コストの軽減を図ることができる。
【００１７】
また、本発明において、前記上側板状部は、その上端から前面側へ折り返された上側折り返し片を有し、前記上側折り返し片の前記上側切込み部によって分割された隣り合う一方の切込み縁部に上側切欠部を設けてもよい。
【００１８】
上記構成によれば、上側板状部の上端を折り返した構成とした水切りであっても、下側板状部を凸状湾曲部に従って湾曲させて、上側板状部及び中側板状部が一部重ねられて組み上げられた際に、上側板状部の上側折り返し片の対向する切込み縁の一方を他方の切欠部に円滑に入り込ませることができて好ましく湾曲状に組み上げることができる。また、上側切込み部によって分割された上側板状部の対向する一方側に上側折り返し片により形成された溝部に、他方側の上側板状部の上側折り返し片の上側切欠部の上端縁を差し込むことができる。これにより、差し込んだ上側板状部の上端縁は、溝部によって上方向及び前後方向への移動が規制される。また、差し込んだ上側板状部は、差し込まれた側の上側板状部に連続する中側板状部によって下方向への移動が規制される。さらに、上側板状部は、下側板状部が上状湾曲部に従って湾曲されることにより、左右方向への移動が規制される。この結果、上側切込み部において上側板状部及び中側板状部が重ねられた部分に隙間が生じることを軽減でき、上側切込み部で分割された状態の上側板状部、及び、上側板状部に連続する中側板状部を容易に固設することができる。
【００１９】
また、本発明において、前記下側板状部の上端には、前記上側切込み部と連続する補助切込み部が形成されてもよい。
【００２０】
上記構成によれば、上側板状部から下側板状部の上端部にまでわたる切込みが形成されることになり、湾曲部用水切りをより容易に所望の形状に湾曲させることができる。
【００２１】
また、本発明において、前記下側板状部は、その下端から後面側へ折り返された下側折り返し片を有し、前記下側折り返し片は、前記上側切込み部の切り込み方向の線分上に下側切欠部を設けてもよい。
【００２２】
上記構成によれば、下側板状部の下端部を後面側に折り返して下側折り返し片を形成することにより、湾曲部用水切りを取付設置した後等に手や指に怪我をしたりすることを防止できる。また、下側折り返し片に下側切欠部が形成されることで、下側板状部を湾曲させた時に下側折り返し片がシワ状に変形することを防止することができる。
【発明の効果】
【００２３】
本発明の湾曲部用水切りによれば、水切りを取付けようとする建築物の取り付け部位の形状が凹状や凸状湾曲部をなす形状であっても、当該形状に沿わせた状態で容易に取付けることができる。
【図面の簡単な説明】
【００２４】
【図１】本発明の一実施形態に係る湾曲部用水切りの設置状態の断面を示す模式図である。
【図２】本発明の一実施形態に係る湾曲部用水切りを模式的に示す斜視図である。
【図３】本発明の一実施形態に係る湾曲部用水切りの設置前の状態を模式的に示す斜視図である。
【図４】湾曲部用水切りの製造前の状態における鋼板を示す平面図である。
【図５】湾曲部用水切りの組み上げ方法を示す説明図である。
【図６】第２実施形態に係る湾曲部用水切りを模式的に示す斜視図である。
【図７】第２実施形態に係る湾曲部用水切りの設置前の状態を模式的に示す斜視図である。
【図８】第２実施形態に係る湾曲部用水切りの製造前の状態における鋼板を示す平面図である。
【発明を実施するための形態】
【００２５】
以下、本発明の実施形態について図面を参照しながら説明する。本発明は、以下の実施形態に限定されるものではなく、本発明の構成を充足する範囲内で、適宜設計変更を行うことが可能である。
【００２６】
（概要）
図１に示すように、湾曲部用水切りが適用される一般的な建築物は、地面に一部を露出して埋め込まれるように布基礎４が設けられ、布基礎４の上に通気間隙を形成するための基礎パッキン３が適所に配置される。そして、基礎パッキン３の上に土台２が設けられ、土台２の壁面には外装板５が設けられる。図１では、本実施形態に係る湾曲部用水切り１・２０１は、外装板５を伝って流下してきた雨水等を外方に導いて滴下させるために、外装板５の下方に設けられる。湾曲部用水切り１は、土台２の壁面に釘止めなどによって取付面が固定される。尚、本発明の湾曲部用水切りの取付対象は土台に限定されず、例えばベランダ、デッキの外周等、凹湾曲形状、凹形状、凸湾曲形状、凸形状、凹凸形状をなす部位に広く適用することができる。
【００２７】
具体的に、本発明の湾曲部用水切り（湾曲部用水切り１、湾曲部用水切り１０１）は、建築物の湾曲部に設置される湾曲部用水切りであって、後面が湾曲部に沿って配置される平板状の第１板状部（上側板状部１１、下側板状部２１３）と、第１板状部の一端から前面へ傾斜するように折曲された平板状の中側板状部（中側板状部１２、中側板状部２１２）と、中側板状部の一端から折曲された平板状の第２板状部（下側板状部１３、下側板状部２１３）と、第１板状部の一端から中側板状部の一端にかけて形成された１以上の切込み部（切込み部１４ａ・１４ｂ・１４ｃ・１４ｄ、上側切込み部２１４ａ・２１４ｂ・２１４ｃ・２１４ｄ）とを有している。
【００２８】
尚、「後面が湾曲部に沿って」とは、第１板状部が湾曲部に接触することに限定されない。即ち、第１板状部が湾曲部に接触するものであっても良いし、第２板状部が湾曲部に接触するものであっても良い。従って、第１板状部が湾曲部に接触する場合は、第１板状部が取付部となり、中側板状部が雨水案内部となり、第２板状部が前垂れ部となる。また、第２板状部が湾曲部に接触する場合は、第２板状部が取付部となり、中側板状部が雨水案内部となり、第１板状部が前垂れ部となる。
【００２９】
上記の構成によれば、第２板状部に、切込み部によって２以上に分割された中側板状部がそれぞれ連続し、さらにそれぞれの中側板状部から第１板状部が連続している。第２板状部の後面を取付対象の凹状や凸状の湾曲部の形状に従って湾曲させると、切込み部によって分割された中側板状部の切込み縁同士、第１板状部の切込み縁同士が重ね合わされて全体が湾曲状に組み上げられることになる。これにより、水切りは湾曲部に沿って好適に取付設置することができる。また、切込み部によって分割された中側板状部及び第１板状部の切込み縁同士の重ね合わせる幅を調整することで、多様な湾曲形状に対して取付設置することができる。
【００３０】
上記の湾曲部用水切りは、凹状の湾曲部及び凸状の湾曲部に適用することができる。凹状の湾曲部に好適な湾曲部用水切りを第１実施形態において説明し、凸状の湾曲部に好適な湾曲部用水切りを第２実施形態において説明する。
【００３１】
［第１実施形態］
図２に示すように、本実施形態に係る湾曲部用水切り１は、建築物の土台２等における凹状の湾曲部に容易に設置することが可能に構成されている。湾曲部用水切り１は、図３に示すように、１枚の鋼板１０（図４参照）を折曲して製造される。使用者や施工者は、図２に示すように、湾曲部用水切り１を建築物の湾曲部に合わせて組み上げた状態で、上側板状部１１を当該湾曲部に釘止め等することにより湾曲部用水切り１を設置する。
【００３２】
尚、本発明においては、水切りの材質は鋼板に限定されず、鉄板、ステンレス鋼板等の鉄合金板、銅板、銅合金板、アルミニウム板、アルミニウム合金板、チタン板、チタン合金板等の各種の金属板を採用することができる。また、１枚の金属板を折曲して製造することに限定されず、樹脂等の素材を採用してもよい。
【００３３】
図２及び図３に示すように、湾曲部用水切り１は、後面が凹状湾曲部に沿って配置される平板状の上側板状部（取付部）１１と、上側板状部１１の下端から下方向へ傾斜するように折曲された平板状の中側板状部（雨水案内部）１２と、中側板状部１２（中側板状部１２１・１２２・１２３・１２４・１２５）の下端から下方向へ折曲された平板状の下側板状部（前垂れ部）１３（下側板状部１３１・１３２・１３３・１３４・１３５）と、下側板状部１３の下端から中側板状部１２の上端にかけて直線状に形成された１以上（４つ）の切込み部１４ａ・１４ｂ・１４ｃ・１４ｄとを有している。また、下側板状部１３の下端には、所定寸法を折り返して形成した折り返し片１５により、溝部１５１〜１５５（図４，５参照）が設けられている。さらに、上側板状部１１の下端には、補助切込み部１６ａ・１６ｂ・１６ｃ・１６ｄが設けられている。
【００３４】
（上側板状部１１）
上側板状部１１は、垂直に立ち上げられた平板状に形成される。図２に示すように、上側板状部１１は、後面が土台２等の凹状湾曲部に接するように、長手方向の両端を前面側へ湾曲されて組み上げられる。上側板状部１１が、この湾曲状態で凹状湾曲部に釘止め等されることにより、湾曲部用水切り１が固設される。
【００３５】
（中側板状部１２）
中側板状部１２は、上側板状部１１の下端である折り曲げ線２０に沿って折曲されることにより、平板状に形成される。中側板状部１２は、上側板状部１１と鈍角をなすように折曲される。これにより、中側板状部１２は、上側板状部１１の下端から下方向へ傾斜し、外装板５を伝って流下してきた雨水等を下端方向へ導くことができるようになっている。即ち、上側板状部１１は、設置状態において外装板５よりも水平前面方向に長くなるように組み上げられる。
【００３６】
中側板状部１２は、４つの切込み部１４ａ・１４ｂ・１４ｃ・１４ｄによって、長手方向に５等分されている。即ち、中側板状部１２には、５つに分割された中側板状部１２１・１２２・１２３・１２４・１２５が長手方向に並列している。
【００３７】
（下側板状部１３）
下側板状部１３は、中側板状部１２の下端である折り曲げ線３０に沿って折曲されることにより、平板状に形成される。下側板状部１３は、中側板状部１２の下端から鉛直下方向へ折曲される。これにより、下側板状部１３は、中側板状部１２によって導かれた雨水等が、通気間隙を形成するための基礎パッキン３の方向へ流入することを防止することができる。従って、下側板状部１３の下端は、基礎パッキン３の下端より下方の位置であることが好ましい。
【００３８】
下側板状部１３は、４つの切込み部１４ａ・１４ｂ・１４ｃ・１４ｄによって、長手方向に５等分されている。即ち、下側板状部１３には、５つに分割された下側板状部１３１・１３２・１３３・１３４・１３５が長手方向に並列している。
また、下側板状部１３には、その下端である折り返し線４０から後面側へ折り返すことにより折り返し片１５が形成され、切込み部１４ａ・１４ｂ・１４ｃ・１４ｄにおいて対向する折り返し片１５の切込み縁の一方に切欠部１５ａ・・・が設けられている。このように、下側板状部１３の下端を折り返しておくことにより、水切り１の取り扱い時、取付設置後に手や指に怪我をしたりすることを防止できる。
【００３９】
（切込み部１４ａ・１４ｂ・１４ｃ・１４ｄ）
切込み部１４ａ・１４ｂ・１４ｃ・１４ｄは、下側板状部１３の下端から中側板状部１２の上端にかけて直線状に切断された切断部である。即ち、一つの上側板状部１１の下端に、５つに分割された中側板状部１２１・１２２・１２３・１２４・１２５の各上端が接続されている。また、中側板状部１２１・１２２・１２３・１２４・１２５の各下端には、下側板状部１３１・１３２・１３３・１３４・１３５の各上端がそれぞれ接続されている。
【００４０】
（溝部１５１・１５２・１５３・１５４・１５５）
下側板状部１３の下端には、折り返し片１５により溝部１５１〜１５５が形成されている。
【００４１】
各溝部１５１〜１５５は、下側板状部１３の厚さ以上の幅に形成されている。また、各溝部１５１〜１５５の各折り返し片１５・・・は、左端部が切除されて切欠部１５ａが形成されることで、各下側板状部１３より長手方向に短く形成されている。これにより、溝部１５１〜１５５の各折り返し片１５・・・の端部が切除された側の下側板状部１３が、切込み部１４ａ・１４ｂ・１４ｃ・１４ｄのいずれかによって分割された隣り合う下側板状部１３から折り返される溝部１５１〜１５５に差込可能にされる。また、下側板状部１３を溝部１５１〜１５５に差し込んでいったときに、隣り合う溝部１５１〜１５５同士が当接するため、差し込みの距離が制限される。これにより、湾曲部用水切り１を設置した際に、下側板状部１３が差込方向に過度に移動してしまうことを回避することができる。また、折り返し片１５・・・の左端部の切欠部１５ａの切除幅を大きくすれば、切込み部１４ａ・１４ｂ・１４ｃ・１４ｄにおける中側板状部１２及び下側板状部１３の重なり幅の許容寸法を大きくし得、水切り１をより大きく且つ多様な形状に湾曲させることができる。尚、いずれにも差し込まれない下側板状部１３（下側板状部１３１）に連接する折り返し片１５には、切欠部１５ａが形成されなくてもよい。
【００４２】
（補助切込み部１６ａ・１６ｂ・１６ｃ・１６ｄ）
また、上側板状部１１の下端には、切込み部１４ａ・１４ｂ・１４ｃ・１４ｄの夫々と連続する補助切込み部１６が形成されている。これにより、上側板状部１１をより容易に湾曲させることができると共に、上側板状部１１を湾曲させて、中側板状部１２同士が水平方向に反発しあう力が働いた場合でも、この力によって切込み部１４ａ・１４ｂ・１４ｃ・１４ｄから上側板状部１１がひび割れしてしまうことを予め防止することができる。
【００４３】
（組み上げ方法）
具体的に、図５を参照して、湾曲部用水切り１の組み上げ方法について、切込み部１４ｄによって分割される箇所に関し説明する。その他の切込み部１４ａ・１４ｂ・１４ｃに関しては同様であるため説明を省略する。
【００４４】
先ず、上側板状部１１が設置対象となる凹状湾曲部に合わせて湾曲される。その際、中側板状部１２５は、中側板状部１２４の下方に重ね合せられる。また、下側板状部１３５は、下側板状部１３４の後面側に重ね合わせられる。このとき、下側板状部１３５の左下端部の折り返し片１５は切除されているため、他の箇所よりも上下方向に短くなっている。従って、中側板状部１２５は、中側板状部１２４の下方に重ね合せたときに、下側板状部１３５の左下端部は、溝部１５４の溝底面よりも上方の位置となる。従って、溝部１５４に下側板状部１３５の左下端部を差込状態に案内することができる。
【００４５】
このように、上側板状部１１が湾曲される際には、中側板状部１２５が中側板状部１２４の下方に重ね合せられ、中側板状部１２４が中側板状部１２３の下方に重ね合せられ、中側板状部１２３が中側板状部１２２の下方に重ね合せられ、中側板状部１２２が中側板状部１２１の下方に重ね合せられる。また、下側板状部１３５が下側板状部１３４の後方に重ね合せられると共にその左下端部が溝部１５４に差し込まれ、下側板状部１３４が下側板状部１３３の後方に重ね合せられると共にその左下端部が溝部１５３に差し込まれ、下側板状部１３３が下側板状部１３２の後方に重ね合せられると共にその左下端部が溝部１５２に差し込まれ、下側板状部１３２が下側板状部１３１の後方に重ね合せられると共にその左下端部が溝部１５１に差し込まれる。
【００４６】
これにより、図２に示すような、湾曲部用水切り１の組み上げられて、凹状湾曲部に形成された土台２等に設置することができる。尚、図示しないが、切込み部１４ａ・１４ｂ・１４ｃ・１４ｄ等によって生じる隙間を目地材等によって充填するコーキング処理が設置の前後のいずれかまたは両方で行われてもよい。
【００４７】
このように、上側板状部１１に、切込み部１４ａ・１４ｂ・１４ｃ・１４ｄによって２以上に分割された中側板状部１２がそれぞれ連続し、さらにそれぞれの中側板状部１２から下側板状部１３が連続している。上側板状部１１の後面を凹状湾曲部に沿わせると、上側板状部１１が凹状湾曲部に従って湾曲される。上側板状部１１が湾曲されると、切込み部１４ａ・１４ｂ・１４ｃ・１４ｄによって分割された中側板状部１２同士、下側板状部１３同士が重ね合わされて組み上げられることになる。これにより、上側板状部１１は凹状湾曲部に沿って設置されると共に、切込み部１４ａ・１４ｂ・１４ｃ・１４ｄによる隙間が閉鎖されるため、建築物の凹状湾曲部に設置した場合であっても、建築物を伝って流下してきた雨水等を中側板状部１２、下側板状部１３の内部に侵入させることなく、外方へ導いて滴下させることができる。また、１枚の鋼板１０を折曲して組み上げることができる構成であるため、コストの軽減を図ることができる。
【００４８】
また、上側板状部１１が凹状湾曲部に従って湾曲され、中側板状部１２及び下側板状部１３の一部が切込み部１４ａ・１４ｂ・１４ｃ・１４ｄにおいて重ねられて組み上げられた際に、下側板状部１３の下端の溝部１５１〜１５５に、切込み部１４ａ・１４ｂ・１４ｃ・１４ｄによって分割された他の下側板状部１３の下端を差し込むことができる。これにより、差し込んだ下側板状部１３は、溝部１５１〜１５５によって下方向及び前後方向への移動が規制される。また、差し込んだ下側板状部１３は、差し込まれた側の下側板状部１３に連続する中側板状部１２によって上方向への移動が規制される。さらに、下側板状部１３は、上側板状部１１が凹状湾曲部に従って湾曲されることにより、左右方向への移動が規制される。この結果、切込み部１４ａ・１４ｂ・１４ｃ・１４ｄで分割された状態の下側板状部１３、及び、下側板状部１３に連続する中側板状部１２を容易に固設することができる。
【００４９】
［第２実施形態］
次に、第２実施形態にかかる湾曲部用水切り２０１について説明する。
本実施形態に係る湾曲部用水切り２０１は、建築物の土台２（図２参照）等における凸状の湾曲部に容易に設置することが可能に構成されている。湾曲部用水切り２０１は、図６に示すように、１枚の鋼板２１０（図８参照）を折曲して製造される。使用者や施工者は、図２に示すように、湾曲部用水切り２０１を建築物の湾曲部に合わせて組み上げた状態で、上側板状部１１を当該湾曲部に釘止め等することにより湾曲部用水切り２０１を設置する。
【００５０】
図６乃び図７に示すように、後面が凸状湾曲部に沿って配置される平板状の下側板状部（前垂れ部）２１３と、下側板状部２１３の上端から後面上方向へ傾斜するように折曲された平板状の中側板状部２１２（中側板状部２１２１・２１２２・２１２３・２１２４・２１２５）と、中側板状部２１２の上端から上方向へ折曲された平板状の上側板状部（取付部）２１１と、上側板状部２１１の上端から中側板状部２１２の上端にかけて形成された１以上（４つ）の上側切込み部２１４ａ・２１４ｂ・２１４ｃ・２１４ｄとを有している。
また、上側板状部２１１は、その上端から前面側へ折り返された上側折り返し片２１７を有し、上側折り返し片２１６の上側切込み部２１４ａ・２１４ｂ・２１４ｃ・２１４ｄによって分割された隣り合う一方の切込み縁部に上側切欠部２１７ａ・２１７ｂ・２１７ｃ・２１７ｄを設けている。
また、下側板状部２１３の上端には、上側切込み部２１４ａ・２１４ｂ・２１４ｃ・２１４ｄと連続する補助切込み部２１６ａ・２１６ｂ・２１６ｃ・２１６ｄが形成されている。
また、下側板状部２１３は、その下端から後面側へ折り返された下側折り返し片２１５（２１５１〜２１５５）を有し、下側折り返し片２１５は、上側切込み部２１４ａ・２１４ｂ・２１４ｃ・２１４ｄの切り込み方向の線分上に下側切欠部２１５ａ・２１５ｂ・２１５ｃ・２１５ｄを設けている。
【００５１】
（上側板状部２１１）
上側板状部２１１は、垂直に立ち上げられた平板状に形成される。図６に示すように、上側板状部２１１は、後面が土台２等の凸状湾曲部に接するように、長手方向の両端を後面側へ湾曲されて組み上げられる。上側板状部２１１が、この湾曲状態で凸状湾曲部に釘止め等されることにより、湾曲部用水切り２０１が固設される。
【００５２】
上側板状部２１１は、４つの上側切込み部２１４ａ・２１４ｂ・２１４ｃ・２１４ｄによって、長手方向に５等分されている。即ち、上側板状部２１１には、５つに分割された上側板状部２１１１・２１１２・２１１３・２１１４・２１１５が長手方向に並列している。
また、上側板状部２１１には、その上端である折り返し線２５０から前面側へ折り返すことにより上側折り返し片２１７が形成され、上側切込み部２１４ａ・２１４ｂ・２１４ｃ・２１４ｄにおいて対向する上側折り返し片２１７の切込み縁の一方に上側切欠部２１７ａ・２１７ｂ・２１７ｃ・２１７ｄが設けられている。このように、上側板状部２１１の上端を折り返しておくことにより、湾曲部用水切り２０１の取り扱い時、取付設置後に手や指に怪我をしたりすることを防止できる。
【００５３】
（中側板状部２１２）
中側板状部２１２は、上側板状部２１１の下端である折り曲げ線２２０に沿って折曲されることにより、平板状に形成される。中側板状部２１２は、上側板状部２１１と鈍角をなすように折曲される。これにより、中側板状部２１２は、上側板状部２１１の下端から下方向へ傾斜し、外装板５（図１参照）を伝って流下してきた雨水等を下端方向へ導くことができるようになっている。即ち、中側板状部２１２は、設置状態において外装板５よりも水平前面方向に長くなるように組み上げられる。
【００５４】
中側板状部２１２は、４つの上側切込み部２１４ａ・２１４ｂ・２１４ｃ・２１４ｄによって、長手方向に５等分されている。即ち、中側板状部１２には、５つに分割された中側板状部２１２１・２１２２・２１２３・２１２４・２１２５が長手方向に並列している。
【００５５】
（下側板状部２１３）
下側板状部２１３は、中側板状部２１２の下端である折り曲げ線２３０に沿って折曲されることにより、平板状に形成される。下側板状部２１３は、中側板状部２１２の下端から鉛直下方向へ折曲される。これにより、下側板状部２１３は、中側板状部２１２によって導かれた雨水等が、通気間隙を形成するための基礎パッキン３（図１参照）の方向へ流入することを防止することができる。従って、下側板状部２１３の下端は、基礎パッキン３の下端より下方の位置であることが好ましい。
【００５６】
下側板状部２１３には、その下端である折り返し線２４０から後面側へ折り返すことにより下側折り返し片２１５が形成されている。このように、下側板状部２１３の下端を折り返しておくことにより、湾曲部用水切り２０１の取り扱い時、取付設置後に手や指に怪我をしたりすることを防止できる。また、下側板状部２１３の下側折り返し片２１５には、上側切込み部２１４ａ・２１４ｂ・２１４ｃ・２１４ｄの切り込み方向の線分上に三角形状の下側切欠部２１５ａ・２１５ｂ・２１５ｃ・２１５ｄが設けられている。これにより、組み上げ時等において湾曲部用水切り２０１を湾曲させた時に、下側折り返し片２１５にシワが形成されることを防止することができる。
【００５７】
（上側切込み部２１４ａ・２１４ｂ・２１４ｃ・２１４ｄ）
上側切込み部２１４ａ・２１４ｂ・２１４ｃ・２１４ｄは、上側板状部２１１の上端から中側板状部２１２の下端にかけて直線状に切断された切断部である。即ち、一つの下側板状部２１３の上端に、５つに分割された中側板状部２１２１・２１２２・２１２３・２１２４・２１２５の各下端が接続されている。また、中側板状部２１２１・２１２２・２１２３・２１２４・２１２５の各上端には、上側板状部２１１１・２１１２・２１１３・２１１４・２１１５の各下端がそれぞれ接続されている。
【００５８】
（溝部２１７１・２１７２・２１７３・２１７４・２１７５）
上側板状部２１１の上端には、上側折り返し片２１７・・・により溝部２１７１〜２１７５（図７参照）が形成されている。
【００５９】
各溝部２１７１〜２１７５は、上側板状部２１１の厚さ以上の幅に形成されている。また、各溝部２１７１〜２１７５を形成する各折り返し片２１７・・・は、右端部が切除されて上側切欠部２１７ａ・２１７ｂ・２１７ｃ・２１７ｄが形成されることで、各上側板状部２１１より長手方向に短く形成されている。これにより、溝部２１７１・２１７２・２１７３・２１７４・２１７５の各折り返し片２１７・・・の端部が切除された側の上側板状部２１１が、上側切込み部２１４ａ・２１４ｂ・２１４ｃ・２１４ｄのいずれかによって分割された隣り合う上側板状部２１１から折り返される溝部２１７１・２１７２・２１７３・２１７４・２１７５に差込可能にされる。また、上側板状部２１１を溝部２１７１・２１７２・２１７３・２１７４・２１７５に差し込んでいったときに、隣り合う溝部２１７１・２１７２・２１７３・２１７４・２１７５同士が当接するため、差し込みの距離が制限される。これにより、湾曲部用水切り２０１を設置した際に、上側板状部２１１が差込方向に過度に移動してしまうことを回避することができる。また、上側折り返し片２１７・・・の左端部の切欠部２１７ａの切除幅を大きくすれば、上側切込み部２１４ａ・２１４ｂ・２１４ｃ・２１４ｄにおける中側板状部２１２及び上側板状部２１１の重なり幅の許容寸法を大きくし得、水切り２０１をより大きく且つ多様な形状に湾曲させることができる。尚、いずれにも差し込まれない上側板状部２１１（上側板状部２１１５）に連接する上側折り返し片２１７には、上側切欠部２１７ｄが形成されなくてもよい。尚、複数の水切り２０１を横に連結して用いても良い。また、図６乃至図８に示すように、中側板状部２１２、及び、下側板状部２１３の何れか一方の端部に連結用の接続部材を設けても良い。また、連結して用いる場合、連結部を覆うジョイナーを設けても良い。
【００６０】
（補助切込み部２１６ａ・２１６ｂ・２１６ｃ・２１６ｄ）
また、下側板状部２１３の上端には、上側切込み部２１４ａ・２１４ｂ・２１４ｃ・２１４ｄの夫々の下端と連続する補助切込み部２１６ａ・２１６ｂ・２１６ｃ・２１６ｄが形成されている。これにより、下側板状部２１３をより容易に湾曲させることができると共に、下側板状部２１３を湾曲させて、中側板状部２１２同士が水平方向に反発しあう力が働いた場合でも、この力によって上側切込み部２１４ａ・２１４ｂ・２１４ｃ・２１４ｄから下側板状部２１３がひび割れしてしまうことを予め防止することができる。
【００６１】
（組み上げ方法）
具体的に、湾曲部用水切り２０１の組み上げ方法について、上側切込み部２１４ｄによって分割される箇所に関し説明する。その他の上側切込み部２１４ａ・２１４ｂ・２１４ｃに関しては同様であるため説明を省略する。
【００６２】
先ず、上側板状部２１１が設置対象となる凸状湾曲部に合わせて湾曲される。その際、中側板状部２１２５は、中側板状部２１２４の下方に重ね合せられる。また、上側板状部２１１５は、上側板状部２１１４の後面側に重ね合わせられる。このとき、上側板状部２１１４の右上端部の上側折り返し片２１７は上側切欠部２１７ｄによって切除されているため、他の箇所よりも上下方向に短くなっている。従って、中側板状部２１２５は、中側板状部２１２４の下方に重ね合せたときに、上側板状部２１１４の上端部は、溝部２１７の溝内の上面よりも下方の位置となる。従って、溝部２１７に上側板状部２１１４の右上端部を差込状態に案内することができる。
【００６３】
このように、下側板状部２１３が湾曲される際には、中側板状部２１２５が中側板状部２１２４の下方に重ね合せられ、中側板状部２１２４が中側板状部２１２３の下方に重ね合せられ、中側板状部２１２３が中側板状部２１２２の下方に重ね合せられ、中側板状部２１２２が中側板状部２１２１の下方に重ね合せられる。また、上側板状部２１１５が上側板状部２１１４の後方に重ね合せられると共にその右上端部が溝部２１７に差し込まれ、上側板状部２１１４が上側板状部２１１３の後方に重ね合せられると共にその右上端部が溝部２１７に差し込まれ、上側板状部２１１３が上側板状部２１１２の後方に重ね合せられると共にその右上端部が溝部２１７に差し込まれ、上側板状部２１１２が上側板状部２１１１の後方に重ね合せられると共にその右上端部が溝部２１７に差し込まれる。これにより、図６に示すような、湾曲部用水切り２０１が組み上げられて、凸状湾曲部に形成された土台２等に設置することができる。
【００６４】
尚、図示しないが、上側切込み部２１４ａ・２１４ｂ・２１４ｃ・２１４ｄ等によって生じる隙間を目地材等によって充填するコーキング処理が設置の前後のいずれかまたは両方で行われてもよい。
【００６５】
以上、湾曲部用水切り１・２０１について説明したが、本発明は、この例に限定されず、以下の構成を採用することができる。
【００６６】
本実施形態において、切込み部は４つ設けられるものであったがこれに限定されない。例えば、切込み部は、１〜３、又は、５以上設けられるものであってもよい。また、切込み部は等間隔に設けられるものであったがこれに限定されず、異なる間隔に設けられるものであってもよい。即ち、中側板状部及び下側板状部は、２〜４、又は、６以上に分割されてもよく、分割された夫々が異なる長さであってもよい。
【００６７】
また、上述した例では、製造時に、図３や図７に示した状態まで折曲し、使用者や施工者が、建築物の凹状や凸状湾曲部分に設置する際に図２や図６に示す状態に組み上げる場合について説明したが、本発明は、この例に限定されない。例えば、製造時に図２や図６に示した状態まで組み上げておき、又は、固定状態で製造しておき、使用者や施工者がそれを設置することとしてもよい。
【符号の説明】
【００６８】
１  湾曲部用水切り
２  土台
３  基礎パッキン
４  布基礎
５  外装板
１０  鋼板
１１  上側板状部
１２（１２１・１２２・１２３・１２４・１２５）  中側板状部
１３（１３１・１３２・１３３・１３４・１３５）  下側板状部
１４ａ・１４ｂ・１４ｃ・１４ｄ  切込み部
１５  折り返し片
１５ａ  切欠部
１５１・１５２・１５３・１５４・１５５  溝部
１６ａ・１６ｂ・１６ｃ・１６ｄ  補助切込み部
２０  折り曲げ線
３０  折り曲げ線
４０  折り返し線
２０１  湾曲部用水切り
２１０  鋼板
２１１（２１１１・２１１２・２１１３・２１１４・２１１５）  上側板状部
２１２（２１２１・２１２２・２１２３・２１２４・２１２５）  中側板状部
２１３  下側板状部
２１４ａ・２１４ｂ・２１４ｃ・２１４ｄ  上側切込み部
２１５  下側折り返し片
２１５ａ・２１５ｂ・２１５ｃ・２１５ｄ  下側切欠部
２１６ａ・２１６ｂ・２１６ｃ・２１６ｄ  補助切込み部
２１７（２１７１・２１７２・２１７３・２１７４・２１７５）  溝部
２２０  折り曲げ線
２３０  折り曲げ線
２４０  折り返し線
２５０  折り返し線
【図１】
2013227848.tif 000003
【図２】
2013227848.tif 000004
【図３】
2013227848.tif 000005
【図４】
2013227848.tif 000006
【図５】
2013227848.tif 000007
【図６】
2013227848.tif 000008
【図７】
2013227848.tif 000009
【図８】
2013227848.tif 000010